(57)【要約】【課題】通話先ごとのハードウェアキーの割当を不要としながらも、タッチパネルディスプレイを動作させることなく発信動作を行うことが可能な無線通信端末を提供する。【解決手段】本発明にかかる無線通信端末（携帯電話１００）の構成は、ディスプレイ１２２と、ディスプレイ１２２に重ねて配置されたタッチパネル１２４と、スリープ状態を解除するスリープ解除キー（電源ボタン１３０）とを備えた無線通信端末において、タッチパネル１２４に対するタッチに特定の通信先が割り当てられていて、スリープ解除キーを押した後の所定時間内に、タッチパネル１２４をタッチすることにより、ディスプレイ１２２をオフにしたままで割り当てられた通信先に発信を開始することを特徴とする。【選択図】図１
2014021579.tif 000002
【特許請求の範囲】
【請求項１】
ディスプレイと、前記ディスプレイに重ねて配置されたタッチパネルと、スリープ状態を解除するスリープ解除キーとを備えた無線通信端末において、
前記タッチパネルに対するタッチに特定の通信先が割り当てられていて、
前記スリープ解除キーを押した後の所定時間内に、前記タッチパネルをタッチすることにより、前記ディスプレイをオフにしたままで割り当てられた通信先に発信を開始することを特徴とする無線通信端末。
【請求項２】
前記タッチパネルは複数の領域に論理的に分割されていて、各領域に通信先を割り当て可能であることを特徴とする請求項１に記載の無線通信端末。
【請求項３】
ディスプレイと、前記ディスプレイに重ねて配置されたタッチパネルと、スリープ状態を解除するスリープ解除キーと、近接センサ、モーションセンサ、または指紋センサのいずれか１つを備えた無線通信端末において、
前記センサによる特定の検出結果に対して特定の通信先が割り当てられていて、
前記スリープ解除キーを押した後の所定時間内に、前記センサに前記特定の検出結果を与えることにより、前記ディスプレイをオフにしたままで割り当てられた通信先に発信を開始することを特徴とする無線通信端末。
【発明の詳細な説明】
【技術分野】
【０００１】
本発明は、ディスプレイと、ディスプレイに重ねて配置されたタッチパネルと、スリープ状態を解除するスリープ解除キーとを備えた無線通信端末に関する。
【背景技術】
【０００２】
近年、画像を表示するディスプレイに、接触（以下、タッチと称する）によりユーザ入力を検出するタッチパネルを重ねて配置したタッチパネルディスプレイを搭載したスマートフォン等の無線通信端末の普及が加速している。タッチパネルディスプレイに限らず、ディスプレイは、一般にその大きさが大きくなるほど消費電力が大きくなる。特に、スマートフォンのように大画面のタッチパネルディスプレイを備えるような無線通信装置では、かかるタッチパネルディスプレイにおいて、通話に必要な電力の５０％近い電力が消費される傾向がある。故に、通話時間を長くするためにはタッチパネルディスプレイによる消費電力を削減する必要があり、特にバッテリ残量が少ない場合には、通話時間を少しでも長くするべく、タッチパネルディスプレイにおける不要な電力消費をより一層削減する必要が生じる。
【０００３】
例えば特許文献１では、物理キーにテレビのショートカット機能を付与している。これによれば、テレビのアプリケーションを起動する際にタッチパネルディスプレイ上での操作が不要になるため、タッチパネルディスプレイを動作（表示）させることなくテレビのアプリケーションを起動することができる。したがって、タッチパネルディスプレイにおける消費電力を削減することができる。また従来から、端末装置の操作が不得手な高齢者等を対象とした無線通信装置では、物理キー（ハードウェアキー）に通話先のショートカット機能を付与しており、このような構成によってもディスプレイを動作させることなく予め指定した通話先に発信動作を行うことができ、ディスプレイにおける消費電力を削減可能である。
【先行技術文献】
【特許文献】
【０００４】
【特許文献１】特開２００９−２３２４２８号公報
【発明の概要】
【発明が解決しようとする課題】
【０００５】
しかしながら、上記のようにアプリケーションや通話先のショートカットをハードウェアキーによって実現する構成であると、設定したいショートカットの数だけハードウェアキーが必要になり、端末のデザインやコスト面において課題が生じる。特にスマートフォンのように大画面のタッチパネルディスプレイを備えるような無線通信装置では、筐体の一面の大部分をタッチパネルディスプレイが占めることなるため、物理キーの設置数には限界がある。
【０００６】
ここで、スマートフォンのように通話可能な無線通信端末においては、通常時はもちろんのこと、緊急時に最も必要とされる機能は通話機能である。したがって、物理キーの設置数に制限がある場合であっても、通話機能（通話先）のショートカット機能を備えていることが望まれる。このため、タッチパネルディスプレイ上に通話先のショートカット（アイコン）を設けることが行われているが、この方法であると、発信動作を行うためにはタッチパネルディスプレイを動作させなくてならず、上述したようにタッチパネルディスプレイにおいて電力を消費してしまう。
【０００７】
本発明は、このような課題に鑑み、通話先ごとのハードウェアキーの割当を不要としながらも、タッチパネルディスプレイを動作させることなく発信動作を行うことが可能な無線通信端末を提供することを目的とする。
【課題を解決するための手段】
【０００８】
上記課題を解決するために、本発明にかかる無線通信端末の代表的な構成は、ディスプレイと、ディスプレイに重ねて配置されたタッチパネルと、スリープ状態を解除するスリープ解除キーとを備えた無線通信端末において、タッチパネルに対するタッチに特定の通信先が割り当てられていて、スリープ解除キーを押した後の所定時間内に、タッチパネルをタッチすることにより、ディスプレイをオフにしたままで割り当てられた通信先に発信を開始することを特徴とする。
【０００９】
上記タッチパネルは複数の領域に論理的に分割されていて、各領域に通信先を割り当て可能であるとよい。
【００１０】
上記課題を解決するために、本発明にかかる無線通信端末の他の構成は、ディスプレイと、ディスプレイに重ねて配置されたタッチパネルと、スリープ状態を解除するスリープ解除キーと、近接センサ、モーションセンサ、または指紋センサのいずれか１つを備えた無線通信端末において、センサによる特定の検出結果に対して特定の通信先が割り当てられていて、スリープ解除キーを押した後の所定時間内に、センサに特定の検出結果を与えることにより、ディスプレイをオフにしたままで割り当てられた通信先に発信を開始することを特徴とする。
【発明の効果】
【００１１】
本発明によれば、通話先ごとのハードウェアキーの割当を不要としながらも、タッチパネルディスプレイを動作させることなく発信動作を行うことが可能な無線通信端末を提供することができる。
【図面の簡単な説明】
【００１２】
【図１】本実施形態にかかる携帯電話を説明する図である。
【図２】本実施形態の携帯電話の機能ブロック図である。
【図３】本実施形態にかかる携帯電話の動作を説明するフローチャートである。
【図４】近接センサによる特定の検出結果について説明する図である。
【図５】通常の待ち受け時において特定の検出結果によって通信先への発信を行う際のフローチャートである。
【発明を実施するための形態】
【００１３】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１４】
また理解を容易にするために、以下に説明する実施形態では、無線通信端末として携帯電話（スマートフォンとも称される。以下、携帯電話１００と称する。）を例示するが、これに限定するものではない。本発明は、後述するようにディスプレイ１２２およびそれに重ねて配置されるタッチパネル１２４からなるタッチパネルディスプレイ１２０ならびに携帯電話１００のスリープ状態を解除するスリープ解除キー（本実施形態においては電源ボタン１３０）を備え、且つ音声通話可能な無線通信端末であれば如何なるものにも適用可能であり、例えばＰＨＳ端末に本発明を適用してもよい。
【００１５】
図１は、本実施形態にかかる携帯電話１００を説明する図であり、図１（ａ）は本実施形態の携帯電話１００の外観斜視図であり、図１（ｂ）は後述するタッチパネル１２４における通信先の割当について説明する図である。図２は、本実施形態の携帯電話１００の機能ブロック図である。図２に示すように、本実施形態の携帯電話１００は制御部１１０を有する。かかる制御部１１０は、中央処理装置（ＣＰＵ）を含む半導体集積回路により携帯電話１００全体の機能を管理および制御し、例えば記憶部（不図示）に記憶されているプログラムを用いて通話機能やメール送受信機能等を実行する。
【００１６】
図１（ａ）に示すように、携帯電話１００の表面１０２ａにはディスプレイ１２２が配設されている。ディスプレイ１２２は、液晶ディスプレイ（Liquid Crystal Display）、有機ＥＬ（Electro Luminescence）等で構成され、写真画像やアプリケーションの動作画面、通話における通話先や発信元などの情報をユーザに対して表示する。またディスプレイ１２２には、透明の素材で形成され、ユーザの指の接触（タッチ）を検出するタッチパネル１２４（図２参照）がかかるディスプレイ１２２を視認可能に重畳されている。これにより、ディスプレイ１２２およびタッチパネル１２４によってタッチパネルディスプレイ１２０が構成され、それを、ユーザの指の接触によりユーザ入力を受け付ける入力部として機能させることができる。
【００１７】
なお、タッチパネル１２４によるユーザ入力の検知方式としては、静電容量式でもよいし、感圧式であってもよい。また本実施形態においては、タッチパネル１２４を含むタッチパネルディスプレイ１２０を入力部として例示したが、それに加えて、キーボード、十字キー、ジョイスティック等の可動スイッチを入力部として更に備えてもよい。
【００１８】
携帯電話１００の側面１０２ｂには、ハードウェアキーからなる電源ボタン１３０が配設されている。この電源ボタン１３０を押下することにより、携帯電話１００の電源のオン／オフが切り替えられる。また本実施形態では、電源ボタン１３０は、タッチパネルディスプレイ１２０のスリープ状態を解除するスリープ解除キーとしても機能する。したがって、電源ボタン１３０を押下することにより、タッチパネルディスプレイ１２０のスリープ状態を解除する、すなわちタッチパネルディスプレイ１２０の表示状態のオン／オフを切り替えることが可能である。なお、本実施形態では電源ボタン１３０をスリープ解除キーとして機能させる構成を例示したが、これに限定するものではなく、電源ボタン１３０以外に別途ハードウェアキーからなるスリープ解除キーを設ける構成としてもよい。
【００１９】
音声入力部１４２は、マイク等の音声認識手段で構成され、通話時に入力されたユーザの音声を携帯電話１００内で処理可能な電気信号に変換する。音声出力部１４４は、スピーカ等で構成され、携帯電話１００（無線通信部）で受信した通話相手の音声信号を音声に変えて出力する。また音声出力部１４４は、着信音、操作音、アラーム音等も出力することもできる。無線通信部１４６は、ＣＤＭＡ（Code Division Multiple Access）やＷｉＭＡＸ（Worldwide Interoperability for Microwave Access）、ＴＤＭＡ／ＴＤＤ（ＰＨＳやＧＳＭ（登録商標））等の無線通信方式を通じて基地局（不図示）との無線通信を確立し、通信相手との音声通信やＷｅｂサーバとのデータ通信を行う。
【００２０】
撮像部１５２は、ＣＣＤ（Charge Coupled Device）やＣＭＯＳ（Complementary Metal Oxide Semiconductor）等の映像素子で構成され、静止画や動画を撮影する。発光部１５４は、ＬＥＤ（Light Emitting Diode）、ＥＬ発光体、サブＬＣＤ、その他の照光可能な電子部品から構成され、光を照射する（発光する）。
【００２１】
近接センサ１６２は、超音波、ミリ波、マイクロ波、静電容量、磁気等を利用した素子からなり、携帯電話１００への物体（本実施形態ではユーザの手）の接近を検出する。モーションセンサ１６４は、例えばピエゾ抵抗型ＭＥＭＳ（Micro Electro echanical System）等からなる３軸加速度センサであって、ＸＹＺ軸の３方向の加速度を検知し、検知した加速度によって携帯電話１００の重力方向、すなわち携帯電話１００の姿勢を検出する。指紋センサ１６６は、取得した指紋画像と、予め登録された指紋画像とを照合することによりユーザ認証を行う。
【００２２】
なお、近接センサ１６２に代えて、照度センサ、近接照度センサ、物理キー等を採用することも可能である。またモーションセンサ１６４としては、静電容量型や熱検知型等の加速度センサや、携帯電話１００におけるＸＹ軸の２方向の加速度を検知する加速度センサ、地磁気センサやジャイロスコープセンサを用いてもよい。指紋センサ１６６としては、静電容量式、電界検知式、光学式、感熱式、感圧式のいずれを採用してもよい。
【００２３】
本実施形態の特徴として、携帯電話１００では、タッチパネル１２４（タッチパネルディスプレイ１２０）に対するタッチに特定の通信先を割り当てる。図１（ｂ）に示すように、本実施形態では、タッチパネル１２４（タッチパネルディスプレイ１２０）を、縦方向において複数の領域１２４ａ・１２４ｂ・１２４ｃに論理的に分割し、各領域１２４ａ・１２４ｂ・１２４ｃそれぞれに通信先を割り当てている。通信先としては、音声通話における通話先を例示することができ、例えば領域１２４ａには自宅の電話番号（宛先１）、領域１２４ｂには会社の電話番号（宛先２）、領域１２４ｃには家族の携帯電話番号（宛先３）というように割り当て可能である。
【００２４】
なお、本実施形態においてはタッチパネル１２４を３つの領域に分割する場合を例示したが、これに限定するものではなく、２つの領域や４つ以上の領域に分割してもよいし、分割しない構成としてもよい。分割方向についても、横方向であってもよいし、縦横両方向において分割してもよい。また本実施形態では音声通話における通信先を割り当てる場合を例示したが、これにおいても限定されず、通信先としては、例えばメールアドレスや危険信号の送信先を割り当てることも可能である。
【００２５】
そして、制御部１１０は、スリープ解除キーである電源ボタン１３０を押した後の所定時間内にタッチパネルがタッチされることにより、ディスプレイ１２２（タッチパネルディスプレイ１２０）をオフにしたままで割り当てられた通信先に発信を開始する。以下、その詳細についてフローチャートを用いて説明する。
【００２６】
図３は、本実施形態にかかる携帯電話１００の動作を説明するフローチャートである。図３に示すように、携帯電話１００のスリープ状態において（ステップＳ２０２）、電源ボタン１３０が押下されるまでは（ステップＳ２０４のＮＯ）、携帯電話１００のスリープ状態が継続される。スリープ状態において電源ボタン１３０が押下されると（ステップＳ２０４のＹＥＳ）、携帯電話１００のスリープ状態が解除される（ステップＳ２０５）。ただしこのとき、ディスプレイ１２２はオフの状態を維持していて、タッチパネル１２４のみがオンとなる。その後、タッチパネル１２４へのタッチが検出されなかった場合（Ｓ２０６のＮＯ）、制御部１１０は、タッチパネル１２４へのタッチの検出待ちを所定時間継続する（ステップＳ２０８のＹＥＳ）。
【００２７】
所定時間内にタッチパネル１２４へのタッチが検出されなかったら（ステップＳ２０８のＮＯ）、制御部１１０は、ディスプレイ１２２をオンにし（ステップＳ２１０）、携帯電話１００は通常の待ち受け状態に入る（ステップＳ２１２）。すなわち本実施形態の携帯電話１００では、電源ボタン１３０の押下によりスリープ状態が解除された後、所定時間内はディスプレイ１２２がオフになっている。そして、ステップＳ２１０においてディスプレイ１２２がオンになり、ステップＳ２１２において通常の待ち受け状態に入ることにより、ディスプレイ１２２とタッチパネル１２４とが同期した通常の画面操作が可能となり、タッチパネルディスプレイ１２０を入力部として機能させることができる。
【００２８】
一方、電源ボタン１３０の押下によりスリープ状態が解除された後（ステップＳ２０４のＹＥＳ、ステップＳ２０５）、タッチパネル１２４へのタッチが検出されたら（ステップＳ２０６のＹＥＳ）、制御部１１０は、タッチパネル１２４においてタッチが検出された領域（領域１２４ａ・１２４ｂ・１２４ｃ）に割り当てられている通信先への発信を行う（ステップＳ２１４）。このとき携帯電話１００では、上述したように所定時間内でのタッチパネル１２４へのタッチが検出されなかった場合（ステップＳ２０８のＮＯ）にディスプレイ１２２がオンになるため（ステップＳ２１０）、所定時間内におけるタッチパネル１２４が検出され通信先への発信が行われる際には（ステップＳ２０６のＹＥＳ、ステップＳ２１４）、ディスプレイ１２２は当然にしてオフの状態である。
【００２９】
上記説明したように本実施形態の携帯電話１００によれば、タッチパネル１２４（タッチパネルディスプレイ１２０）に対するタッチに特定の通信先を割り当て、スリープ解除状態における所定時間内でのタッチパネル１２４へのタッチを検出することで、通信先ごとのハードウェアキーを必要とすることなく通信先への発信が可能となる。換言すれば、電源ボタン１３０の押下によりスリープ状態が解除された後の所定時間内は、タッチパネル１２４は、通信先への発信の仮想的なショートカットキーとして機能する。そして、この発信動作時にはディスプレイ１２２（タッチパネルディスプレイ１２０）はオフの状態であるため、タッチパネルディスプレイ１２０における消費電力を抑制することができる。したがって、抑制した分の電力により、通話時間や待ち受け時間をより長時間確保することが可能となる。
【００３０】
なお、上記説明した実施形態では、ステップＳ２１０においてディスプレイ１２２を表示する際に、ステップＳ２０８における所定時間の経過をトリガーとしたが、これに限定するものではない。例えばステップＳ２０８では電源ボタン１３０の再押下（２回目の押下）の有無を検出し、電源ボタン１３０の２回目の押下が検出されることによりステップＳ２１０においてディスプレイ１２２を表示する構成としてもよい。
【００３１】
またステップＳ２０４においてスリープ状態が解除されてから、ステップＳ２０８において所定時間が経過するまでの間、すなわちタッチパネル１２４へのタッチの検出待ちをしている間に、微量な電力で点灯可能な発光部１５４を点灯させておいてもよい。これにより、携帯電話１００がタッチパネル１２４へのタッチの検出待ちをしている状態であることをユーザに通知可能である。
【００３２】
更に、上述した実施形態では、ステップＳ２０６においてタッチパネル１２４へのタッチが検出されたら、ステップＳ２１４において通信先への発信が行われる構成を例示したが、これに限定するものではない。例えばステップＳ２０６においてタッチパネル１２４へのタッチが検出されたら、制御部１１０は、一時的にディスプレイ１２２をオンにして、タッチが検出された領域に割り当てられている通信先をかかるディスプレイ１２２に表示してもよい（通信先確認）。また通信先を表示した後に、実際に発信するか否かの選択（発信許可）を入力させる画面を表示させてもよい。ただし、消費電力の削減という目的に鑑みると、通信先や発信許可の表示後には、再度ディスプレイ１２２をオフにすることが好ましい。
【００３３】
ここで、上記説明したように本実施形態の携帯電話１００は、近接センサ１６２、モーションセンサ１６４および指紋センサ１６６を備える。これらのセンサのうち少なくとも１つのセンサによる特定の検出結果に対して特定の通信先を割り当て、電源ボタン１３０（スリープ解除キー）を押した後の所定時間内に、かかるセンサに特定の検出結果を与えることにより、ディスプレイ１２２をオフにしたままで割り当てられた通信先に発信を開始する構成としてもよい。以下、その詳細について、近接センサ１６２による特定の検出結果に対して特定の通信先が割り当てた場合を例示して説明する。
【００３４】
図４は、近接センサ１６２による特定の検出結果について説明する図である。電源ボタン１３０の押下によりスリープ状態が解除された後の所定時間内に、例えば図４に示すように、近接センサ１６２においてユーザの手１７０（対象物）の接近を検出した回数を、特定の検出結果とすることができる。そして、近接センサ１６２においてこの特定の検出結果を得たことを契機として、制御部１１０が、その特定の検出結果に対して割り当てられた通信先に発信を開始する。これにより、上述したタッチパネル１２４を用いた際と同様の効果を得ることができる。すなわち、近接センサ１６２等のセンサを、通信開始時のショートカットとして機能させることが可能である。またこのような構成であれば、例えば所定時間内にユーザの手１７０（対象物）の接近を検出した回数それぞれに対して、異なる通信先を割り当てることも可能である。
【００３５】
更に、上述したように近接センサ１６２、モーションセンサ１６４および指紋センサ１６６等のセンサによる特定の検出結果によって通信先に発信を開始する構成であれば、以下に説明するように、通常の待ち受け状態においてもそれらのセンサを通信開始時のショートカットとして機能させることもできる。図５は、通常の待ち受け時において特定の検出結果によって通信先への発信を行う際のフローチャートである。
【００３６】
図５に示すように、携帯電話１００の待ち受け状態（ディスプレイがオンの状態）において（ステップＳ３０２）、上述した特定の検出結果（所定時間内における複数回の接近）が近接センサ１６２で検出されたら（ステップＳ３０４のＹＥＳ）、制御部１１０は、かかる特定の検出結果に割り当てられている通信先をディスプレイ１２２に表示する（ステップＳ３０６）。続いて制御部１１０は、その通信先に発信するか否かを入力させる選択画面を表示する（ステップＳ３０８）。
【００３７】
そして、発信許可が入力されたら（ステップＳＳ３０８のＹＥＳ）、制御部１１０は、ディスプレイ１２２をオフにした後に（ステップＳ３１０）、その特定の検出結果に割り当てられている通信先への発信を行う（ステップＳ３１２）。なお、近接センサ１６２において上述した特定の検出結果が検出されるまでは（ステップＳ３０４のＮＯ）、携帯電話１００の待ち受け状態が継続され（ステップＳ３０２）、選択画面表示時に通信先に発信しない旨のユーザ入力があった場合（ステップＳ３０８のＮＯ）は、携帯電話１００は待ち受け状態に戻る（ステップＳ３０２）。
【００３８】
上述した構成によれば、通常の待ち受け状態においても、近接センサ１６２、モーションセンサ１６４および指紋センサ１６６等のセンサを、通信開始時のショートカットとして機能させることができる。したがって、通信先ごとのショートカットとしてのハードウェアキーの数を減らすことができるため、ハードウェアキーの配置に纏わる端末のデザインやコスト面における課題を解決することができる。
【００３９】
なお、本実施形態では、近接センサ１６２において上述した特定の検出結果が検出された後に（ステップＳ３０４のＹＥＳ）、通信先表示（ステップＳ３０６）および発信許可表示（ステップＳ３０８）を行ったが、これらのステップは必ずしも含まれていなくてもよい。また上記構成では、通信先への発信（ステップＳ３１２）の前にディスプレイ１２２をオフにしている（ステップＳ３１０）。これにより、ディスプレイ１２２を表示させる必要のない発信動作時における消費電力の削減が図れる。ただし、これにおいても限定されず、ディスプレイ１２２をオフにせずに発信動作を行うことも可能である。
【００４０】
更に、上記構成では、近接センサ１６２、モーションセンサ１６４および指紋センサ１６６のうち、近接センサを用いる場合を例示したが、モーションセンサ１６４および指紋センサ１６６による特定の検出結果に対して特定の通信先を割り当ててもよい。この場合、モーションセンサ１６４では、例えば所定時間内に携帯電話１００が何回振られたかを特定の検出結果とし、指紋センサ１６６では、例えばユーザの両手の１０本の指のうち、所定の指の指紋を検知したことを特定の検出結果とすることができる。また近接センサ１６２、モーションセンサ１６４および指紋センサ１６６以外にも、音声入力部１４２を用い、かかる音声入力部１４２によって検出された所定の音声に対して特定の通信先を割り当てることも可能である。
【００４１】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００４２】
本発明は、ディスプレイと、ディスプレイに重ねて配置されたタッチパネルと、スリープ状態を解除するスリープ解除キーとを備えた無線通信端末として利用可能である。
【符号の説明】
【００４３】
１００…携帯電話、１０２ａ…表面、１０２ｂ…側面、１１０…制御部、１２０…タッチパネルディスプレイ、１２２…ディスプレイ、１２４…タッチパネル、１２４ａ…領域、１２４ｂ…領域、１２４ｃ…領域、１３０…電源ボタン、１４２…音声入力部、１４４…音声出力部、１４６…無線通信部、１５２…撮像部、１５４…発光部、１６２…近接センサ、１６４…モーションセンサ、１６６…指紋センサ、１７０…手
【図１】
2014021579.tif 000003
【図２】
2014021579.tif 000004
【図３】
2014021579.tif 000005
【図４】
2014021579.tif 000006
【図５】
2014021579.tif 000007